(57)【要約】  本発明は、系及び物質の状態又は機能、並びに、生物系、自然体系又は技術的な系の状態又は機能を改善するための手段を製造する方法に関し、状態又はプロセスを最適化するため、及び／又は、有害な環境的影響に対する耐性を高めるために使用される。本発明に係る方法は、クライアントに固有の情報及び状態に固有の情報のキャリアとして、光、音、電気、及び、磁力を使用する。本方法は、以下のステップによって特徴付けられる。ａ）異なるミネラルを混合するステップ、ｂ）これらのミネラルの粒径をミクロ粒子又はナノ粒子まで減少させるステップ、ｃ）その前後で、粒径が減少されたミネラル粒子を活性化させるステップ、ｄ）混合物に関する情報を永久的に固定／記憶させるステップ、ｅ）活性化されて情報が与えられた混合物を基材上に或いは基材中に加え或いは導入するステップ。【選択図】  なし【特許請求の範囲】
【請求項１】
系及び物質の状態を改善するための手段を製造する方法であって、
ａ）異なるミネラルを混合するステップと、
ｂ）これらのミネラルの粒径を減少させて、ほぼ同じ粒径を有する混合物を得るステップと、
ｃ）その前後で、粒径が減少されたミネラル粒子をエネルギ活性化させるステップと、
ｄ）特定の周波数スペクトルの形態で前記混合物にソースコードを設けるステップと、
ｅ）活性化された混合物及び／又はソースコードが設けられた混合物を基材上に或いは基材中に加え或いは導入するステップと、
を備える方法。
【請求項２】
前記ステップａ）において、少なくとも２個の、好ましくは少なくとも１０個の異なるミネラルが一緒に混合されることを特徴とする、請求項１に記載の方法。
【請求項３】
金属成分又は有機物質も前記混合物中に導入されることを特徴とする、請求項１又は２に記載の方法。
【請求項４】
前記ミネラル混合物が、少なくとも１つのミネラル、例えばシリコンを少なくとも５％の割合で含むことを特徴とする、請求項２に記載の方法。
【請求項５】
前記ステップｃ）に係る活性化が、例えば光子電荷のような永久的なエネルギ電荷がミネラルの結晶格子中に導入されるエネルギ付与処理又は電磁処理又は電気光学処理であることを特徴とする、請求項１に記載の方法。
【請求項６】
周波数発生器によって情報が供給されることを特徴とする、請求項５に記載の方法。
【請求項７】
前記エネルギ付与／情報供給が少なくとも１時間の期間にわたって行なわれることを特徴とする、請求項４〜６のいずれか一項に記載の方法。
【請求項８】
前記ステップｄ）に係る基材として紙、プラスチック又は金属を使用でき、これはミネラル混合物に対する接続後に積層することもできることを特徴とする、請求項１に記載の方法。
【請求項９】
前記混合物が、拡散することができ或いは噴射することができるとともに、耐摩耗性及び／又は耐水性を有することができることを特徴とする、請求項１〜８のいずれか一項に記載の方法。
【請求項１０】
請求項１又は３に記載の混合物のエネルギ付与されたミクロ粒子又はナノ粒子が加えられ或いは導入される基材からなる、系の状態を改善するための手段。
【請求項１１】
状態を改善するため、及び／又は、状態、機能又はプロセス、物質、及び、生物系及び技術的な系を最適化するための請求項１〜９に記載の方法にしたがって製造される手段の使用であって、状態、機能、又は、プロセスを最適化するため、及び／又は、環境的影響に対する系の耐性を高めるため、又は、物質又は技術的な系の副作用を減少させるための特に生物系のための使用。
【発明の詳細な説明】
【技術分野】
【０００１】
本発明は、系の状態を改善するための手段、特に、状態及び／又は機能及び／又は性能を向上させるための手段、及び、生物系又は水或いは技術的物質又は技術的な系の機能を最適化するための手段の製造方法に関する。また、本発明は、そのような手段の使用に関する。
【背景技術】
【０００２】
生物フォトンを使用して生物系の状態を検出し及び／又は生物系の状態に影響を及ぼすための方法は知られている。これは、主に、励起された細胞又は組織からの極端に弱い光子流の放射及びそれらの測定によって達成される。例えば、国際公開第０１／０１１１４号パンフレットは、種子穀物に光を照射し、照射の終了後に種子穀物によって発せられる光の少なくとも１つの特徴的なサイズを測定することにより種子穀物の胚芽容量を決定するための方法を開示している。しかしながら、そのような光は、外部の励起を伴うことなく発することもでき且つ決定することもできる。胚芽容量は、必要に応じて例えば穀物の含水量などの更なる値を加味しつつ、決定されたサイズから推論されてもよい。
【０００３】
しかしながら、生物フォトンを測定値として使用して動物又は人間の組織の特定の状態を検出し、更にはそれらの状態に影響を及ぼすこともできなければならない。
【０００４】
また、身体自身のバイオ情報又は特定の物質に関するバイオ情報は、時間遅れを伴って行なわれる場合であっても、そのようなバイオ情報を記録して処理するとともにそれを処理後に身体又は物質へフィードバックすることによりバイオ共鳴治療において使用されてもよい（独国実用新案出願公開第２９７０９０９４号明細書）。身体又は物質の情報は、関連する身体から得られてもよく（例えば、欧州特許出願公開第１４２４０９９号明細書による）、あるいは、良好な状態を有する第３の身体から得られてもよい（例えば、欧州特許出願公開第０７１４０２７号明細書による）。独国特許出願公開第３１１０９１５号明細書は、磁場又は電磁放射線を用いて水又は生物系を処理するための治療装置を開示している。
【０００５】
従来の手段によって影響され得ない（説明することさえできない）特定の状態を変えることができるように、徹底した研究が行なわれている。
【０００６】
オーストラリア共和国特許文献ＡＴ−Ｂ−４０９９３０は、メタリック粉末又は金属粉又は箔又は金属色素を含む葉に影響を及ぼすための装置を開示している。提供されているものは、一端が接地され且つ他端がアースケーブル又は中性導体に対して接続される単一の金属巻線を備える金属箔に影響を与えるための装置である。この他端は金属プレートに対して接続され、当該金属プレート上には、時計周りに回転する水を含むタンクが配置されている。同じ著者からは、アルミニウムで金属化された高分子箔真空が知られている。この場合、アルミニウムの原子格子は、特性を記憶し且つ例えば場を抑制するために使用できるように改良された構造を成していなければならない。また、例えば変調によってソース上の電子スモッグを無害にするために、周波数を結晶格子上でプログラムできる。
【０００７】
バッテリを急速充電できるように、ナノ粒子を導入するための方法が知られている。
【０００８】
いわゆるＴＤＰ赤外線ランプでは、特定のセラミックが加熱され、また、セラミック上に存在するミネラル周波数の固有周波数（中国特許文献ＣＮ  ９７１００７７−５）が放射される。そのようなセラミックは、ナノレンジの例えばシリコン粒子を有する光変調器において構造化されてもよい。このいわゆる「シリコン」又は「ナノフォトニクス」技術によって１秒当たり最大１００億個の光パルスが可能となるはずである（Ｌｕｘｔｅｒａ／ＣＡ，  ＵＳＡ  ｈｔｔｐ：／／ｗｗｗ．ｌｕｘｔｅｒａ．ｃｏｍ／ｔｅｃｈｎｏｌｏｇｙ  ｆａｇ．ｈｔｍｌ）。
【発明の開示】
【発明が解決しようとする課題】
【０００９】
したがって、本発明の目的は、系及び物質、特に天然物質又は生物系の状態を改善するための手段であって、生物系で直接に使用できる手段を製造する方法を開発することである。好ましくは直接に使用でき且つ更なるカップリング補助体を伴うことなく使用できるそのような手段が製造されなければならない。また、そのような状態の改善は、技術的な系及び／又は技術的な物質でも達成できなければならない。また、状態改善は、機能及び／又は性能の向上も含んでいなければならない。
【課題を解決するための手段】
【００１０】
上記目的は請求項１の特徴によって達成される。従来技術から逸脱して、複数のミネラルが、必要に応じて更なる金属成分又は無機成分の添加を伴って、基材に対して加えられる。少なくとも２個の異なるミネラル物質、好ましくは最大で約３０個の異なるミネラル物質からなる混合物が使用される。少なくとも１つのミネラルは、ここでは、少なくとも５％の割合で示され、例えばシリコンである。ミネラル混合物は、（特に、光子）エネルギのための蓄積媒体としての機能、及び、電磁情報、電気光学情報、光電子情報又は量子光学情報のソースコード及び制御論理のための記憶媒体としての機能を果たす。制御論理は、手段の使用中に、適切なユーザ固有の量の光子及び情報並びに他の可能なエネルギ及び情報単位を受け、変調し、放出するために、手段の動作態様を制御する。手段に関連付けられた光子、他の粒子、波及び情報の伝送は、新たな情報によって独立に／積極的に作用してもよく、又は、関連するユーザ系又は物質のホログラフィックフィールド又はその全体のフィールドの既存の個々の周波数又は範囲又は横波又は縦波を増幅態様（「建設的干渉」）で或いは補償態様（「相殺的干渉」又は「カウンタノイズ」）で変調してもよい。
【００１１】
環境的に調整された或いはユーザ自身の光子、エネルギ、又は、情報単位、あるいは、手段によって放射され且つ受けられる他の粒子、及び、それらに関連する情報は、必要に応じて、前述した建設的干渉及び相殺的干渉によって修正されて環境又はユーザへ戻されてもよい。送られる周波数は、テラ及びそれよりも更に高いＧＨｚ周波数範囲内で主に動くが、例えば、他の横波又は縦波あるいは渦巻き又はプラズモン又は粒子が使用されてもよい。手段によって各ユーザ系又は物質のホログラフィックフィールドに結び付けられる情報／周波数は、高い（光又は光子）エネルギを用いて理にかなった変調をされるとともに、変調された形態で各ユーザ系又は物質へと伝送される。そこで、これらは、例えば存在する原子の電子挙動に積極的に影響を及ぼすことによって間接的に、関連するユーザ系又は物質の状態及び／又は機能及び／又は性能の向上を引き起こす。また、前述した関係は、更なる伝送手段のレーザ又はカップリング補助体を伴うことなく形成されるが、これらの付加によって更に効果的になってもよい。
【００１２】
作用の最適な距離は、一般に、１．５ｍよりも短くすべきであるが、更に延ばしてもよい。カップリング補助体を伴う直接的なボディー接触は必要ないが、性能を高めるのに適する場合がある。
【００１３】
ミネラルは、混合して加えられる前に粉砕に晒され、その結果、粒径が１ｍｍ未満まで減少され、好ましくは２００ｎｍ未満まで減少されてミクロ粒子又はナノ粒子に達する。その後、電磁処理又は電子光学処理によってミネラル混合物の永久的なエネルギ活性化又はエネルギ充填が行なわれる。また、ソースコードが混合物に設けられ、このコードは特定の周波数スペクトルの形態で導入される。この目的のため、周波数発生器が使用される（我々は、レーザに類似する装置を使用し、そのレーザの搬送周波数に合わせて特定の情報が６００ｎｍの範囲で変調された後に基材中に「焼き付けられる」。この方法は「周波数発生器」なる表現でカバーされるであろうか？）。主に、ミネラルの結晶にはこの情報が「染み込まされる」（原子格子レベルよりも細かく）。役に立つ例えとして、ＤＶＤの含有シリコンに対する情報の蓄積が挙げられる。
【００１４】
電磁処理又は電気光学処理の前又は後、ミネラル混合物は、基材に対して加えられ（塗布され）或いは基板中に導入される。当該混合物は、引き伸ばすことができてもよく、撒き散らすことができ或いは噴射することができてもよく、耐水性及び耐摩耗性を有していてもよく、また、必要に応じて、吸収可能であってもよい。
【００１５】
更なる好ましい実施形態が従属請求項に開示されている。例えば、基材は、特に、紙、プラスチック及び／又は金属又は木材又は他の有機材料或いは無機材料から成っていてもよい。例えば、貴金属の使用、あるいは、特にその表面が少なくとも結晶領域を含む性能向上のために好ましい単層又は多層の陽極酸化アルミニウムの使用も適している。
【００１６】
性能向上のため、基材は、多層サンドイッチ構造を有していてもよく、及び／又は、処理されたミネラル混合物を受けるための構造を含んでいてもよい。
【００１７】
性能向上のため、混合物及び基材及び／又は付随する材料の両方に対し、例えばＤＮＳ二重螺旋の形態を成して幾何学的構造が適用されてもよい。そのような二重螺旋構造又は他の構造又は要素は、２桁のセンチメートル範囲までサイズが延びるアンテナとしての機能を果たし、この寸法は、非経皮的範囲であっても、活性媒体の最適な効率を得るために送信され或いは受信される波長によって決まる。
【００１８】
細かい物質範囲（ナノ範囲、デジタルデータ）から粗い物質範囲（センチメートル範囲）までのスペクトル全体をカバーするために、活性化された活性媒体と、アンテナサイズと、エネルギバンドリングとの間の関係が考慮される。アンテナの形状は、例えば、ミネラル混合物中に浮き出されてもよく、基材中に彫り込まれ或いは基材上に印刷されてもよく、又は、金属構造体（従来のアンテナ）として存在していてもよい。
【００１９】
必要に応じて、ミネラルは、同様に粉砕されて処理される有機物質（例えば、Ｌアミノ酸など）によって補われてもよい。
【００２０】
同様に、蛋白質又はアミノ酸（必要に応じて全ての既知の蛋白質又はアミノ酸）、人間の遺伝子又は他の遺伝子、特に細胞又は細胞構成要素は、ガラス、ナイロン又は他の基材（ミクロ配列、遺伝子チップ）上に配置することができ、したがって、手段と共に使用される。
【００２１】
また、手段は、光子を吸収する塗料の被膜、例えば黒色塗料（光子トラップ）を含んでいてもよい。同様に、手段の内側層又は外側層が貴金属（例えば、金、銀、白金又はこれらの混合物）でコーティングされてもよく及び／又はアルミニウムコーティングを有していてもよい。
【００２２】
本発明の更なる目的は、系の状態を改善する手段の使用を示すことにある。この目的は請求項１２の特徴によって達成される。
【００２３】
必要に応じて、手段の使用及び効果を高めるために、プラスタ、クリップ、電極、光波導体、導体、音波導体又はコードなどのカップリング補助体が使用されてもよい。
【００２４】
手段の作用又は性能を高めるために、例えばバッテリ又は音源又は光源（光子ポンプ）による特に電磁束又は電磁場、信号などの形態を成す情報及びエネルギの伝送においては、更なるエネルギ供給体又は光子供給体及び更なる電気的又は電磁気的な搬送波又はマグネットが使用されてもよい。
【００２５】
手段は、状態を改善するために使用され、特に、生物系の状態を最適化するために使用されるが、非生物系の状態を最適化するためにも使用される。これは、植物、動物及び人間の健康又は耐性、例えば植物の成長の増進又は汚染環境的影響に対する耐性の増大に関連することが好ましい。また、技術デバイス又は他のデバイス及び装置、環境的影響、又は、有害物質の負荷強度又は（望ましくない）副作用の変化、減少又は逆転をもたらすことができる。例えば、皮膚抵抗又は体積抵抗の漸進的な正常化、又は、人間又は動物における痛みの状態の緩和を達成することができ、あるいは、天然井戸水にかなり厳密に対応する水中での結晶形成の減少（軟水を保ち、あるいは、軟水になる）でさえも達成することができる。
【００２６】
必要に応じて、完成した手段は、その完成後に、第三者によって、例えばホメオパシー医、医師でない者によって、例えば患者に関して予め特別に検査されて役立つように決定された患者固有又はユーザ固有の（ホメオパシー）情報をデジタル記録することにより、情報メモリとして使用されてもよい。その後、手段は、当該手段を身体の近傍へと単に運ぶことにより患者又は他のユーザのための永久的な伝送媒体として使用されてもよい。
【００２７】
手段のこの使用は、（ホメオパシー）アルコール−水溶液に代わるものであってもよく、あるいは、他の場所に共通のミルク−砂糖生成体が経口的に投与されなければならないとともに、この生成体には硬化情報が与えられる。
【００２８】
ユーザ固有の或いは環境に固有の情報は、具体的には、ミクロアンテナ又はナノアンテナ（ｗｗｗ．ｆｔｄ．ｄｅ／ｒｄ／１１１１２１７８０１３３６．  ｈｔｍｌを参照）としての或いはプリズム又はミクロミラー或いはナノミラーとしてのミネラルの本質的に知られた表面特性によって受信することができ、変調することができ、再び送信することができる。そのようなミクロアンテナ又はナノアンテナ、あるいは、プリズム又はミクロミラー或いはナノミラーは、最適には、２００μｍ未満であり、それらの特定の配列にしたがって記憶されたデータ／情報を送信する。
【発明を実施するための最良の形態】
【００２９】
以下、典型的な実施形態において本発明を更に詳しく説明する。
【００３０】
１０個の異なるミネラルの混合物は、例えば、５％〜２０％の割合のシリコンと、約５〜２５％（２〜２５％も適している？？？）の食塩（ＮａＣｌ）とを含む。
【００３１】
また、ミネラルは、例えばローラミル上で或いは攪拌ミル内で粉砕することにより最大２００ｎｍの粒径まで減少され、その後、活性化され或いはエネルギが与えられる。ここで、永久的な光子電荷が結晶格子中に導入される。ミネラルは光学的に変調される。ナノ構造状態への粒径減少中に形成されるロッド形状の分子配列は、アンテナ又はプリズムとしての機能を果たし、光及び他の周波数又は波を受けてこれを例えば植物に向けて放射することにより植物の成長を促進させることができる。また、ミネラル混合物は、拡散によって加えることもでき、また、特定の混合比に起因して耐摩耗性及び耐水性を有することができ、そのため、使用が容易である。
【００３２】
活性化されて処理されたミネラル混合物は、クレジットカードフォーマットで紙からなる基材に対して接着塗布され、また、当該基材には、損傷を防ぐために、通常の方法によってミネラル混合物が積層される。
【００３３】
平坦な金属被膜形成体、例えば、陽極酸化アルミニウムからなる２つの被膜、及び／又は、１つ或いは２つの金メッキ内側層及び外側層が可能である。基材の厚さは最大で約２ｍｍでなければならない。
【００３４】
あるいは、手段の包囲体は、例えば時計や宝石箱の形態を成す、例えば金属、貴金属又はセラミックからなる装飾容器として形成されてもよい。
【００３５】
状態を改善するためにこのようにして得られる手段は、例えば植物の鉢の下に配置されることにより、実質的に、これらの植物、例えばガーデンクレスの成長を促すようにしてもよい。
【００３６】
本発明に係る方法は、クライアントに固有の情報及び状態に固有の情報のキャリアとして、光、音、電気、及び、磁力を使用する。
【国際調査報告】
2009502266.tif 000002
2009502266.tif 000003
2009502266.tif 000004
2009502266.tif 000005